(57)【特許請求の範囲】
【請求項１】
コアシャフトと、
前記コアシャフトを覆うコイル体と、
前記コイル体を構成する素線の外周に形成された、複数の高分子鎖からなるポリマーブラシ部と、
を備え、
前記コイル体を構成する前記素線の外周に形成された前記ポリマーブラシ部を覆うように、前記コイル体から離間して親水性コーティング部が設けられていることを特徴とするガイドワイヤ。
【請求項２】
請求項１に記載のガイドワイヤであって、
前記親水性コーティング部は、上層と下層とから構成されており、
前記下層は、前記上層よりも水に対する親和性が低いことを特徴とするガイドワイヤ。
【請求項３】
請求項１または請求項２に記載のガイドワイヤであって、
前記ポリマーブラシ部を構成する材料と同じ材料が、前記親水性コーティング部に含まれていることを特徴とするガイドワイヤ。
【発明の詳細な説明】
【技術分野】
【０００１】
本発明は、血管などの管腔に挿入されるガイドワイヤに関する。
【背景技術】
【０００２】
血管にカテーテルを挿入する際に用いられるガイドワイヤが知られている。カテーテルを挿入する際には、先ずガイドワイヤを血管に挿入し、その後にガイドワイヤに沿ってカテーテルを進行させる。このように、ガイドワイヤはカテーテルを病変部に導くためのガイドとして機能する。
【０００３】
このようなガイドワイヤとしては、コアシャフトの先端部がコイル体で覆われたもの（いわゆるコイル式のガイドワイヤ）が一般に用いられている。また、血管内での滑りを良くする目的で、コイル体の表面を親水性コーティング剤で覆ったガイドワイヤが提案されている（特許文献１など）。
【先行技術文献】
【特許文献】
【０００４】
【特許文献１】米国特許第５８４００４６号明細書
【発明の概要】
【発明が解決しようとする課題】
【０００５】
しかし、上述した従来のガイドワイヤでは、親水性コーティング剤でコイル体を覆うことによって、コイル体の自由な動きが阻害されるという問題があった。その結果、例えば、ガイドワイヤの血管選択性に悪影響を及ぼす虞があるという問題があった。
【０００６】
この発明は、従来の技術が有する上述した課題に対応してなされたものであり、コイル体の自由な動きを維持しつつ、コイル体の表面において潤滑性を発揮することが可能なガイドワイヤの提供を目的とする。
【課題を解決するための手段】
【０００７】
上述した課題を解決するために、本発明のガイドワイヤは次の構成を採用した。すなわち、コアシャフトと、前記コアシャフトを覆うコイル体と、前記コイル体を構成する素線の外周に形成された、複数の高分子鎖からなるポリマーブラシ部と、を備え、前記コイル体を構成する前記素線の外周に形成された前記ポリマーブラシ部を覆うように、前記コイル体から離間して親水性コーティング部が設けられていることを特徴とする。
【０００８】
このような本発明のガイドワイヤにおいては、コイル体を構成する素線の外周に形成されたポリマーブラシ部を覆うように、コイル体から離間して親水性コーティング部が設けられているので、親水性コーティング部によってコイル体の動きが阻害されることがない。その結果、コイル体（ひいてはガイドワイヤ）の自由な動きを維持しつつ、コイル体の表面において潤滑性を発揮することが可能となる。
【０００９】
また、上述した本発明のガイドワイヤにおいては、親水性コーティング部を上層と下層とで構成することとし、上層の水に対する親和性よりも下層の水に対する親和性を低くすることとしてもよい。
【００１０】
このような本発明のガイドワイヤにおいても、親水性コーティング部とコイル体との間にポリマーブラシ部を設けることによって、コイル体（ひいてはガイドワイヤ）の自由な動きを維持しつつ、コイル体表面で潤滑性を発揮することができる。
【００１１】
また、本発明のガイドワイヤでは、親水性コーティング部が上層と下層とから成り、上層よりも下層のほうが水に対する親和性が低いので、水分が存在する環境下（血管内など）において、下層が膨潤することを抑制できる。下層は、親水性コーティング部とポリマーブラシ部との境界部分に位置しているので、この部分の膨潤による変形が抑制されることにより、親水性コーティング部とポリマーブラシ部との密着性を向上させることが可能となる。
もちろん、親水性コーティング部の上層は、下層よりも水に対する親和性が高いので、水分を吸収して膨潤することにより、コイル体表面での潤滑性を十分に発揮することが可能である。
【００１２】
また、本発明のガイドワイヤにおいては、ポリマーブラシ部を構成する材料と同じ材料が、親水性コーティング部に含まれていてもよい。
【００１３】
このような本発明のガイドワイヤにおいては、ポリマーブラシ部を構成する材料と同じ材料が親水性コーティング部に含まれているので、相溶によって、ポリマーブラシ部と親水性コーティング部との密着性を確保することができる。その結果、ポリマーブラシ部によってコイル体（ガイドワイヤ）の自由な動きを維持しつつ、コイル体表面での潤滑性を長期間に亘って持続させることが可能となる。
【図面の簡単な説明】
【００１４】
【図１】本発明の第１実施形態のガイドワイヤの構成を示した説明図である。
【図２】本発明の第１実施形態のガイドワイヤの親水性コーティング部およびポリマーブラシ部の拡大図である。
【図３】本発明の第２実施形態のガイドワイヤの親水性コーティング部およびポリマーブラシ部の拡大図である。
【図４】本発明の第２実施形態のガイドワイヤの親水性コーティング部の吸水前後の様子を示した説明図である。（ａ）には、親水性コーティング部の吸水前の様子が示されており、（ｂ）には、親水性コーティング部の吸水後の様子が示されている。
【発明を実施するための形態】
【００１５】
Ａ．第１実施形態  ：
以下では、上述した本発明の内容を明確にするために、本発明のガイドワイヤの各種実施形態を説明する。
図１は、本発明の第１実施形態のガイドワイヤ１の構成を示した説明図である。ガイドワイヤ１は、コアシャフト５と、コアシャフト５を覆うコイル体６などから構成されている。コアシャフト５とコイル体６とは、ロウ材などから成る接合部を介して互いに接合されている。本実施形態では、コイル体６の先端部とコアシャフト５の先端部とが接合部８ａを介して接続されており、コイル体６の基端部とコアシャフト５の中間部とが接合部８ｂを介して接続されている。
【００１６】
また、本実施形態のガイドワイヤ１では、コイル体６の表面が親水性コーティング部１０で覆われている。親水性コーティング部１０は、ガイドワイヤ１を血管内に挿入したときに、ガイドワイヤ１の表面と血管内壁との間の摩擦抵抗を低減するために設けられている。
【００１７】
尚、本実施形態の親水性コーティング部１０は、例えば、ポリビニルアルコール、ポリビニルピロリドン、ポリエチレングリコール、ポリアクリルアミド、ポリアクリル酸、ポリアクリル酸ナトリウム、メタクリル酸２−ヒドロキシエチルのホモポリマーまたはその共重合体、メタクリル酸２−ヒドロキシプロピルのホモポリマーまたはその共重合体、アクリル酸４−ヒドロキシブチルのホモポリマーまたはその共重合体、アクリル酸テトラヒドロフルフリルのホモポリマーまたはその共重合体、無水マレイン酸系共重合体、エチレンビニルアルコール共重合体、（２−（メタクリロイルオキシ）エチル）ジメチル−（３−スルホプロピル）のホモポリマーまたはその共重合体、２−メタクリロイルオキシエチルホスホリルコリンのホモポリマーまたはその共重合体、Ｎ−メタクリロイルオキシエチル−Ｎ，Ｎ−ジメチルアンモニウム−α−Ｎ−メチルカルボキシベタインのホモポリマーまたはその共重合体、（２−ヒドロキシエチルメタクリレート）―スチレンブロック共重合体、ヘパリン、各種合成ポリペプチド、コラーゲン、ヒアルロン酸、セルロース系ポリマー、およびこれらの混合物などによって形成することができる。
【００１８】
更に、本実施形態のガイドワイヤ１では、コイル体６と親水性コーティング部１０との間にポリマーブラシ部１２が形成されている。
【００１９】
図２は、本発明の第１実施形態のガイドワイヤ１の親水性コーティング部１０およびポリマーブラシ部１２の拡大図である。図示されているように、本実施形態のガイドワイヤ１では、コアシャフト５を覆うコイル体６の素線の表面に、複数の高分子鎖が固定されている。これにより、コイル体６と親水性コーティング部１０との間に、ブラシ状の構造（ポリマーブラシ部１２）が形成されている。
【００２０】
尚、ポリマーブラシ部１２を構成する高分子鎖については、各種の高分子鎖を用いることができるが、親水性コーティング部１０との親和性を考慮すれば、ポリエチレングリコールやポリアクリル酸などの親水性化合物の高分子鎖を用いてポリマーブラシ部１２を構成することが好ましい。また、カルボキシベタインやスルホベタイン、ホスホベタインなどのベタイン系ポリマーから成る高分子鎖は、親水性で且つ、良好な生体適合性を有しているので、ポリマーブラシ部１２を構成する高分子鎖としてより好適である。
【００２１】
このような本実施形態のガイドワイヤ１では、コイル体６と親水性コーティング部１０との間にポリマーブラシ部１２が形成されているので、親水性コーティング部によってコイル体６の動きが阻害されることがない。その結果、コイル体６（ひいてはガイドワイヤ１）の自由な動きを維持しつつ、コイル体６の表面で潤滑性を発揮することが可能となる。
【００２２】
Ｂ．第２実施形態  ：
図３は、本発明の第２実施形態のガイドワイヤ２の親水性コーティング部２０およびポリマーブラシ部１２の拡大図である。第２実施形態のガイドワイヤ２は、上述した第１実施形態のガイドワイヤ１とは以下の点が異なっている。すなわち、ガイドワイヤ２の親水性コーティング部２０は、上層２１と下層２３とによって構成されている。また、下層２３の水に対する親和性は、上層２１の水に対する親和性と比較して低く設定されている。
【００２３】
尚、本実施形態のガイドワイヤ２では、上層２１が、Ｎ−メタクリロイルオキシエチル−Ｎ，Ｎ−ジメチルアンモニウム−α−Ｎ−メチルカルボキシベタインを含む共重合体で構成されており、下層２３が、Ｎ−メタクリロイルオキシエチル−Ｎ，Ｎ−ジメチルアンモニウム−α−Ｎ−メチルカルボキシベタインとブチルメタクリレート（ＢＭＡ）との共重合体で構成されている。ブチルメタクリレート（ＢＭＡ）が比較的大きな疎水性を呈することにより、下層２３の水に対する親和性が、上層２１の水に対する親和性よりも低くなっている。
【００２４】
また、本実施形態のガイドワイヤ２では、ポリマーブラシ部１２の高分子鎖が、Ｎ−メタクリロイルオキシエチル−Ｎ，Ｎ−ジメチルアンモニウム−α−Ｎ−メチルカルボキシベタインのポリマーで構成されている。すなわち、親水性コーティング部２０には、ポリマーブラシ部１２を構成する材料と同じ材料（本実施形態では、Ｎ−メタクリロイルオキシエチル−Ｎ，Ｎ−ジメチルアンモニウム−α−Ｎ−メチルカルボキシベタイン）が含まれている。
【００２５】
上記以外の部分については、第１実施形態のガイドワイヤ１と第２実施形態のガイドワイヤとは同様である。すなわち、コアシャフト５と、コアシャフト５を覆うコイル体６と、コイル体６と親水性コーティング部２０との間に設けられたポリマーブラシ部１２とから構成されている。
【００２６】
図４は、本発明の第２実施形態のガイドワイヤ２の親水性コーティング部２０の吸水前後の様子を示した説明図である。（ａ）には、親水性コーティング部２０の吸水前の様子が示されており、（ｂ）には、親水性コーティング部２０の吸水後の様子が示されている。
【００２７】
図４（ａ）に示されているように、第２実施形態のガイドワイヤ２は、吸水前の状態では、コイル体６を覆う親水性コーティング部２０の上層２１と下層２３とが所定の膜厚となっている。この状態で、親水性コーティング部２０に水分が供給されると、図４（ｂ）に示されているように、上層２１が膨潤して大きく変形する。
一方で、下層２３については、上層２１よりも水に対する親和性に比べて低いので、親水性コーティング部２０に水分が供給されても下層２３は殆ど膨潤（変形）しない。
【００２８】
このように、本実施形態のガイドワイヤ２では、ポリマーブラシ部１２と親水性コーティング部２０との境界部分に位置する下層２３の変形を抑制することができる。したがって、親水性コーティング部２０とポリマーブラシ部１２との密着性を向上させることが可能となる。
もちろん、上層２１は、下層２３よりも水に対する親和性が高いので、水分を吸収して膨潤することにより、コイル体６の表面で潤滑性を十分に発揮することが可能である。
【００２９】
また、本実施形態のガイドワイヤ２の親水性コーティング部２０には、ポリマーブラシ部１２を構成する材料と同じ材料（本実施形態では、Ｎ−メタクリロイルオキシエチル−Ｎ，Ｎ−ジメチルアンモニウム−α−Ｎ−メチルカルボキシベタイン）が含まれている。このことにより、相溶によって、ポリマーブラシ部１２と親水性コーティング部２０のとの密着性を確保することができる。その結果、ポリマーブラシ部１２によってコイル体６（ひいてはガイドワイヤ２）の自由な動きを維持しつつ、コイル体６の表面での潤滑性を長期間に亘って持続させることが可能となる。
【００３０】
以上、各種実施形態のガイドワイヤについて説明したが、本発明は上述の実施形態に限られるものではなく、その要旨を逸脱しない範囲において種々の態様で実施することが可能である。例えば、第２実施形態のガイドワイヤ２では、親水性コーティング部２０の上層２１（水に対する親和性が比較的高い層）と下層２３（水に対する親和性が比較的低い層）とに、同じ材料（第２実施形態では、Ｎ−メタクリロイルオキシエチル−Ｎ，Ｎ−ジメチルアンモニウム−α−Ｎ−メチルカルボキシベタイン）が含まれているものと説明した。しかしながら、上層２１と下層２３とには必ずしも同じ材料が含まれていなくてもよい。
【００３１】
上層２１と下層２３とに同じ材料が含まれていなくても、下層２３の水に対する親和性が上層２１の水に対する親和性よりも低いという関係性を満たしていれば、親水性コーティング部２０とポリマーブラシ部１２との境界部分の膨潤による変形を抑制することができ、親水性コーティング部２０とポリマーブラシ部１２との密着性を確保することができるからである。
【００３２】
もっとも、上述した第２実施形態のガイドワイヤ２のように、親水性コーティング部２０の上層２１と下層２３とに同じ材料が含まれていると、相溶によって、上層２１と下層２３との密着性をも確保することができるので、より好ましい。
【符号の説明】
【００３３】
１，２・・・ガイドワイヤ
５・・・コアシャフト
６・・・コイル体
８ａ，８ｂ・・・接合部
１０，２０・・・コーティング部
１２・・・ポリマーブラシ部
２１・・・上層
２３・・・下層
【図１】
0006275008.tif 000002
【図２】
0006275008.tif 000003
【図３】
0006275008.tif 000004
【図４】
0006275008.tif 000005